(57)【要約】【課題】他の装置から受信したデータに基づく画像を、用紙の節約を図りながら原稿に応じて適切に用紙に記録することが可能な画像形成装置を提供する。【解決手段】１枚の用紙に複数頁分の画像を記録する複数頁画像記録を行うことが可能な記録部８と、記録部８が記録を行うべき画像に係るデータを受け付ける受信部１ａと、受信部１ａが受け付けたデータに係る画像の頁数が、設定された頁数Ｎを超えた場合、記録部８に当該画像について複数頁画像記録を行わせる設定決定部１ｃとを備える。【選択図】図３
2009246856.tif 000002
【特許請求の範囲】
【請求項１】
１枚の用紙に複数頁分の画像を記録する複数頁画像記録を行うことが可能な記録手段と、
前記記録手段が記録を行うべき画像に係るデータを受け付ける画像データ受付手段と、
前記画像データ受付手段が受け付けたデータに係る画像の頁数が、設定された頁数を超えた場合、前記記録手段に当該画像について複数頁画像記録を行わせる制御手段と、を備えたことを特徴とする画像形成装置。
【請求項２】
１枚の用紙に複数頁分の画像を記録する複数頁画像記録を行うことが可能な記録手段と、
前記記録手段が記録を行うべき画像に係るデータを受け付ける画像データ受付手段と、
前記記録手段に複数頁画像記録を行わせるか否かの選択を受け付ける選択受付手段と、
前記画像データ受付手段が受け付けたデータに係る画像の頁数が、設定された頁数を超えた場合、前記選択受付手段に前記選択を受け付けさせる制御手段と、を備えたことを特徴とする画像形成装置。
【請求項３】
前記画像データ受付手段が受け付けたデータに係る情報を表示する表示手段を備えたことを特徴とする請求項２に記載の画像形成装置。
【請求項４】
前記画像データ受付手段が、前記画像に係るデータとしてファクシミリデータを受け付けることを特徴とする請求項１から３の何れか１項に記載の画像形成装置。
【請求項５】
前記画像データ受付手段が受け付けたデータを蓄積する蓄積手段を備えたことを特徴とする請求項１から４の何れか１項に記載の画像形成装置。
【請求項６】
前記設定された頁数が複数存在し、前記制御手段が、各設定された頁数を超えた場合に応じて、前記記録手段に異なる複数画像記録を行わせることを特徴とする請求項１から５の何れか１項に記載の画像形成装置。
【請求項７】
前記記録手段が、１枚の用紙の片面に複数頁分の画像を記録する複数頁画像記録を行うことが可能であることを特徴とする請求項１から６の何れか１項に記載の画像形成装置。
【請求項８】
前記記録手段が、１枚の用紙の両面に複数頁分の画像を記録する複数頁画像記録を行うことが可能であることを特徴とする請求項１から６の何れか１項に記載の画像形成装置。
【発明の詳細な説明】
【技術分野】
【０００１】
本発明は、画像形成装置、詳しくは１枚の用紙に複数頁分の画像を記録することが可能なファクシミリ機等の画像形成装置に関する。
【背景技術】
【０００２】
ファクシミリ機及びファクシミリ機能を備えた複合機に装備される画像形成装置においては、通常、ファクシミリ受信したデータに係る画像を、受信枚数（原稿枚数）と同じ枚数の用紙に記録する。このような画像形成装置には、片面に複数頁分の画像を記録するＮｉｎ１モード、両面に画像を記録する両面モードにて記録を行うことが可能なものがある。Ｎｉｎ１モード、両面モードにて記録を行うことにより、用紙を節約できるという利点がある。
【０００３】
例えば、特許文献１には、Ｎｉｎ１モード、両面モード及びこれらを組み合わせた両面Ｎｉｎ１モードにて記録を行うこと可能なファクシミリ装置が開示されている。このファクシミリ装置は、送信機から通知された原稿の種類または送信機の宛先に応じて、前記各モードを選択してファクシミリ受信したデータに係る画像を記録する。
【０００４】
また、特許文献２には、両面モード選択時に、長尺原稿をファクシミリ受信した場合、長尺原稿を通常モードにて記録するか両面モードにて記録するかを、選択ボタンの選択に応じて行うファクシミリ装置が開示されている。これにより、長尺原稿により画像が２頁に分割されて記録される場合、ユーザは、見易さを優先した通常モードか、用紙の節約を優先した両面モードかを選択することができる。さらに、このファクシミリ装置は、両面モード選択時に、Ｎｉｎ１モードを有効とするかを選択する選択ボタンも備えている。
【０００５】
また、特許文献３には、Ｎｉｎ１モード、小冊子モードにて記録を行うことが可能な通信端末装置が開示されている。この通信端末装置は、送信機から指示されたモードにてファクシミリ受信したデータに係る画像を記録する。
【特許文献１】特開平１１−１７７８０９号公報
【特許文献２】特開２０００−１５１９８１号公報
【特許文献３】特開２００３−３２４７６号公報
【発明の開示】
【発明が解決しようとする課題】
【０００６】
しかしながら、特許文献１に開示されているファクシミリ装置によれば、送信機から通知された原稿の種類に応じてモードを選択するが、ＩＴＵによるファクシミリ通信に関する標準機能には原稿の種類は定められていない。そのため、同一機種等の限定された装置間では有効であるが、他の装置間では原稿の種類に応じてモードを選択することができない。さらに、送信機から通知された送信機の宛先に応じてモードを選択するが、送信機の宛先とファクシミリ受信した画像の内容とは必ずしも関連がない。そのため、送信機の宛先に応じてモードを選択することは、必ずしも適切でない。
【０００７】
また、特許文献２に開示されているファクシミリ装置によれば、長尺原稿をファクシミリ受信した場合、選択ボタンによりモードの選択を行うことが可能であるが、長尺原稿でない通常原稿の場合、このような選択を行うことはできない。
【０００８】
また、特許文献３に開示されている通信端末装置によれば、送信機から指示されたモードにてファクシミリ受信したデータに係る画像を記録するが、ＩＴＵによるファクシミリ通信に関する標準機能にはモードの種類は定められていない。そのため、同一機種等の限定された装置間では有効であるが、他の装置間では原稿の種類に応じてモードを選択することができない。
【０００９】
本発明は、かかる課題に鑑みてなされたものであり、他の装置から受信したデータに基づく画像を、用紙の節約を図りながら原稿に応じて適切に用紙に記録することが可能な画像形成装置を提供することを目的とする。
【課題を解決するための手段】
【００１０】
上記目的を達成するために、本発明に係る画像形成装置は、１枚の用紙に複数頁分の画像を記録する複数頁画像記録を行うことが可能な記録手段と、前記記録手段が記録を行うべき画像に係るデータを受け付ける画像データ受付手段と、前記画像データ受付手段が受け付けたデータに係る画像の頁数が、設定された頁数を超えた場合、前記記録手段に当該画像について複数頁画像記録を行わせる制御手段と、を備えたことを特徴としている。
【００１１】
また、本発明に係る画像形成装置は、１枚の用紙に複数頁分の画像を記録する複数頁画像記録を行うことが可能な記録手段と、前記記録手段が記録を行うべき画像に係るデータを受け付ける画像データ受付手段と、前記記録手段に複数頁画像記録を行わせるか否かの選択を受け付ける選択受付手段と、前記画像データ受付手段が受け付けたデータに係る画像の頁数が、設定された頁数を超えた場合、前記選択受付手段に前記選択を受け付けさせる制御手段と、を備えたことを特徴としている。
【００１２】
さらに、本発明に係る画像形成装置は、前記画像データ受付手段が受け付けたデータに係る情報を表示する表示手段を備えたことを特徴としている。
【００１３】
さらに、本発明に係る画像形成装置は、前記画像データ受付手段が、前記画像に係るデータとしてファクシミリデータを受け付けることを特徴としている。
【００１４】
さらに、本発明に係る画像形成装置は、前記画像データ受付手段が受け付けたデータを蓄積する蓄積手段を備えたことを特徴としている。
【００１５】
さらに、本発明に係る画像形成装置は、前記設定された頁数が複数存在し、前記制御手段が、各設定された頁数を超えた場合に応じて、前記記録手段に異なる複数画像記録を行わせることを特徴としている。
【００１６】
さらに、本発明に係る画像形成装置は、前記記録手段が、１枚の用紙の片面に複数頁分の画像を記録する複数頁画像記録を行うことが可能であることを特徴としている。
【００１７】
さらに、本発明に係る画像形成装置は、前記記録手段が、１枚の用紙の両面に複数頁分の画像を記録する複数頁画像記録を行うことが可能であることを特徴としている。
【発明の効果】
【００１８】
本発明に係る画像形成装置によれば、画像データ受付手段が受け付けたデータに係る画像の頁数、すなわち受信枚数が、設定された頁数を超えた場合、記録手段が当該画像について複数頁画像記録を行う。そのため、受信枚数が設定された頁数を超えた場合、強制的に複数頁画像記録が行われるので、確実に用紙を節約することが可能となる。なお、設定された頁数を変更することによって、各ユーザの好み、送付装置の宛先、解像度等に応じた頁数に設定することも可能である。
【００１９】
また、本発明に係る画像形成装置によれば、画像データ受付手段が受け付けたデータに係る画像の頁数、すなわち受信枚数が、設定された頁数を超えた場合、選択受付手段から記録手段に複数頁画像記録を行わせるか否かの選択を受け付ける。そのため、受信枚数が設定された頁数を超えた場合、複数頁画像記録を行うか否かをユーザが選択できるので、原稿に応じた適切な記録を行うととともに、ユーザに用紙の節約を促すことが可能となる。
【００２０】
さらに、本発明に係る画像形成装置によれば、画像データ受付手段が受け付けたデータに係る情報、すなわち画像イメージ、送付装置の宛先、受付時刻等を表示する表示手段を備える。そのため、表示手段に表示された情報から複数頁画像記録を行うべきであるか否かを、ユーザが判断することを容易化する。
【００２１】
さらに、本発明に係る画像形成装置によれば、画像データ受付手段が前記画像に係るデータとしてファクシミリデータを受け付ける。ユーザは、ファクシミリデータの内容に未知である。しかしながら、ＩＴＵによるファクシミリ通信に関する標準機能に受信枚数が定められているので、他の任意のファクシミリ送信機から送信される原稿の枚数を、原稿本文の受信前に、認識することができる。そのため、原稿の枚数に応じて、確実に用紙を節約することが可能となる。
【００２２】
さらに、本発明に係る画像形成装置によれば、画像データ受付手段が受け付けたデータを蓄積する蓄積手段を備える。そのため、複数頁画像記録が行われたデータが蓄積されるので、複数頁画像記録が行われたデータに係る原稿が重要な書面、詳細な図面等であった場合、蓄積手段からデータを取り出し記録手段にて通常の記録を行うことが可能となる。特に、画像データ受付手段がファクシミリデータを受け付けた場合、通常の装置では画像を記録した際にデータは消滅し、ユーザもデータを保有していないため、非常に有効である。
【００２３】
さらに、本発明に係る画像形成装置によれば、設定された頁数が複数存在し、各設定された頁数を超えた場合に応じて、異なる複数画像記録が行われる。そのため、各ユーザの好み等に応じて、適切な種類の複数画像記録を行わせることが可能となる。
【００２４】
さらに、本発明に係る画像形成装置によれば、１枚の用紙の片面に複数頁分の画像を記録する複数頁画像記録を記録手段が行うことが可能である。そのため、ユーザは片面に複数頁分の画像が記録された用紙により、データに係る画像を複数頁分まとめて視認することができる。
【００２５】
さらに、本発明に係る画像形成装置によれば、１枚の用紙の両面に複数頁分の画像を記録する複数頁画像記録を記録手段が行うことが可能である。そのため、ユーザは両面に画像が記録された用紙により、データに係る画像が縮小されることなく良好に視認することができる。なお、記録手段が、１枚の用紙の両面に複数頁分の画像を記録する複数頁画像記録を行うことが可能であってもよい。この場合、さらに、用紙を節約することが可能となる。
【発明を実施するための最良の形態】
【００２６】
以下、本発明の第１の実施の形態に係る画像形成装置を装備するＭＦＰ（Multiple Functional Peripheral：多機能周辺機器）１００について、図面に基づき説明する。ＭＦＰ１００は、図１にそのブロック図を示すように、制御部（ＣＰＵ：Central Processing Unit）（制御手段）１、ＲＯＭ（Read Only Memory）２、ＲＡＭ（Random Access Memory）３、コーデック（ＣＯＤＥＣ：Coder and Decoder）４、画像メモリ（蓄積手段）５、用紙供給部６、用紙再送部７、記録部（記録手段）８、操作部（選択受付手段）９、表示部（表示手段）１０、モデム１１、ＮＣＵ（Network Control Unit）１２、及びＬＡＮ Ｉ／Ｆ（Local Area Network Interface）１３を備えたものであって、各部１乃至１３は、バス１４によって通信可能に接続されている。
【００２７】
このように構成されたＭＦＰ１００は、他の装置から送信されたデータを受信する機能を備えている。具体的には、ＰＳＴＮ（公衆交換電話網：Public Switched Telephone Network）２１を介して通信可能に接続されたファクシミリ装置２２からデータを受信するファクシミリデータ受信機能を備えている。また、ＭＦＰ１００は、受信したデータに基づく画像を用紙に記録して出力するプリント機能を備えている。なお、ＭＦＰ１００は、図示しないが、原稿載置板に載置された原稿や自動原稿給送装置により原稿トレイから搬送される原稿の画像を読み取るスキャナ機能、読み取った原稿の画像を用紙に記録して出力する複写機能、原稿の画像を読み取って得た画像データをＰＳＴＮ２１を介してファクシミリ装置２２に送信するファクシミリデータ送信機能も備えている。
【００２８】
制御部１は、ＭＦＰ１００の各部の動作を制御する。ＲＯＭ２は、制御部１によりＭＦＰ１００の各部の動作が制御されるための各種プログラムを格納している。
【００２９】
ＲＡＭ３は、制御部１の主メモリ、ワークエリア等として機能するものであり、受信した画像データに関する各種データ、ＭＦＰ１００の各部の処理動作に用いる各種情報等を読み出し及び書き込み可能な状態で格納している。また、複数頁印字モード設定頁数Ｎ（図３参照。）は、このＲＡＭ３に格納されている。
【００３０】
コーデック４は、画像データを符号化（エンコード）・復号（デコード）する。ここでは、ファクシミリ受信等した符号化されている画像データを復号する。コーデック４は、受信したデータに付されている符号化方式情報等に対応した復合方式にて復号する。
【００３１】
画像メモリ５は、ファクシミリ受信した画像データ、コーデック４において符号化された画像データ等の画像データを格納する。
【００３２】
用紙供給部６は、用紙を記録部８に供給する。用紙再送部７は、記録部８にて片面に画像を記録された用紙を裏表反転させて再度記録部８に供給する。
【００３３】
ＭＦＰ１００は、その内部を図２に示すように、各種サイズの用紙を収容可能な給紙カセット１０１を複数引出し可能に備えており、必要に応じて用紙を給紙カセット１０１に装填できるようになっている。各給紙カセット１０１には所定サイズの用紙がそれぞれ収容され、給紙位置に位置する最上位の用紙はピックアップローラによって繰り出され、一対の給紙ローラにニップされて記録部８へ至る搬送路１０２に繰り込まれる。各給紙カセット１０１から搬送路１０２に繰り込まれた用紙は、複数の搬送ローラによって搬送路１０２に沿って搬送され、記録部８に供給される。搬送路１０２は、各給紙カセット１０１の一端側から延設されて記録部８に至り、更に排紙トレイ１０３へ通じるように形成されている。さらに、記録部８より上流側の搬送路１０２から分岐してから略下方に向かって、給紙カセット１０１より上流側かつ記録部８より下流側にて搬送路１０２に再合流するように、反転搬送路１０４が延設されている。反転搬送路１０４の途中に、用紙をニップして搬送する複数の搬送ローラが設けられている。
【００３４】
さらに、搬送路１０２の終端部には、一対の排紙ローラ１０５が配置されている。排紙ローラ１０５は、通常正方向へ回転し、記録部８を通過した用紙を排出トレイ１０３に排出する。一方、記録部８を通過した用紙の面を反転させて記録部８に再度供給する場合には、用紙の後端が排紙ローラ１０５の近傍まで搬送された時点で、排紙ローラ１０５は逆回転し、用紙の搬送方向を切り替えて反転搬送路１０４に向けて搬送する。また、搬送路１０２と反転搬送路１０４との分岐点には、変向つめ１０６が設けられている。変向つめ１０６は、用紙が記録部８から排紙ローラ側へ搬送される際には、先端部により反転搬送路１０４を塞ぎ、用紙が排紙ローラ１０５側から反転搬送路１０４に繰り込まれる際には、先端部により搬送路１０２を塞ぐように動作を行う。
【００３５】
このような内部構成を備えたＭＦＰ１００において、用紙供給部６は、用紙を収容する給紙カセット１０１、これら給紙カセット１０１に付随するピックアップローラや給紙ローラ、搬送路１０２、及び搬送路１０２に配置された搬送ローラ等から構成されている。用紙供給部６は、給紙カセット１０１から用紙を繰り出すことにより、記録部８に用紙を供給する。一方、用紙再送部７は、排紙ローラ１０５、変向つめ１０６、反転搬送路１０４、及び反転搬送路１０４に配置された搬送ローラ等から構成されている。用紙再送部７は、記録部８にて片面に画像が記録された用紙を、記録部８より下流側の搬送路１０２に供給することにより、表裏面反転させて記録部８に再度送り込む。
【００３６】
記録部８は、図１に示すように、画像メモリ５から読み出された画像データに基づく画像を、用紙供給部６により供給される用紙に記録する。記録部８は、通常は１頁分の画像を用紙の１頁に印字する通常モードにて記録を行うが、複数頁分の画像を１枚の用紙に印字する複数頁印字モードにて記録を行うことも可能である。この複数頁印字モードには、Ｎｉｎ１形式の印字モード（以下、「Ｎｉｎ１モード」という。）並びに両面形式の印字モード（以下、「両面モード」という。）がある。Ｎｉｎ１モードとは、Ｎ頁分の画像を縮尺により集約して用紙の１頁に印字するモードである。Ｎは１を超える自然数であればよく、例えばＮを２、４、６、８と複数設定することも可能である。例えば、２ｉｎ１モードは、２頁分の画像を集約して用紙の１頁に印字するモードである。一方、両面モードとは、２頁分の画像を集約して１枚の用紙の裏表両面にそれぞれ１頁分ずつ印字するモードである。この場合、記録部８は、用紙再送部７により供給され表面に画像が記録された用紙の裏面に画像を記録する。さらに、記録部８は、Ｎｉｎ１モードと両面モードとを組み合わせた両面Ｎｉｎ１モードにて記録を行うことも可能である。なお、用紙の表面のみにＮｉｎ１モードにて記録を行い裏面に記録を行わない通常のＮｉｎ１モードを、片面Ｎｉｎ１モードともいう。
【００３７】
記録部８は、図２に示すように、感光体ドラム８１、該感光体ドラム８１の周囲に配設された帯電デバイス、ＬＥＤヘッド、現像器、転写ローラ及びクリーニング器、感光体ドラム８１の下流側の搬送路１０２に配設された定着器８２等から構成されている。
【００３８】
感光体ドラム８１は回転駆動し、その表面は、帯電デバイスにより一定電圧に帯電され、画像データに基づきＬＥＤヘッドにより選択的に露光されて、静電潜像が形成される。感光体ドラム８１の表面上の静電潜像が現像器により現像され、トナー画像が形成される。感光体ドラム８１の表面に形成されたトナー画像が転写ローラにより用紙へ転写される。感光体ドラム８１の表面に残留したトナー等はクリーニング器により除去される。定着器８２は、搬送路１０２を搬送される用紙に転写されたトナー画像を加熱及び加圧して定着させる。なお、記録部８における記録方式としては、電子写真方式に限られず、インクジェット記録方式等の各種の記録方式を用いることも可能である。記録部８にて画像が記録された用紙は、更に搬送路１０２に沿って排紙ローラ１０５まで搬送され、排紙トレイ１０３に排紙される。
【００３９】
操作部９は、図１に示すように、原稿の複写、送信等の開始を指示するためのスタートキー、複写枚数や送信先番号等を入力するためのテンキー、各種設定を入力するためのカーソルキーやボタンキーなど、表示部１０と連動した各種操作キーを備えている。
【００４０】
表示部１０は、各種の表示画面やＭＦＰ１００の動作状態などを文字や図形などで表示するＬＣＤ（Liquid Crystal Display：液晶表示装置）などを備えている。なお、ＬＣＤは、タッチパネル式のものであり、操作部９に代えてこのＬＣＤの画面をユーザが指等により触れることにより各種の操作を行うこともできる。
【００４１】
モデム１１は、例えばＩＴＵ−Ｔ（国際電気通信連合電気通信標準化部門）の勧告Ｖ．３４規格又はこれと同様のものに従った送受信データの変調及び復調を行う。ＮＣＵ１２は、電話回線を制御して電話をかけたり切ったりする回線網制御装置であり、ＰＳＴＮ２１を介して、ファクシミリ装置２２と通信可能に接続されている。
【００４２】
ＬＡＮ Ｉ／Ｆ１３は、ＬＡＮ（Local Area Network）２３とＭＦＰ１００とを通信可能に接続する。また、ＬＡＮ２３には、複数台のクライアントＰＣ２４が接続されており、クライアントＰＣ２４からＭＦＰ１００が有する各種機能を利用することができるようになっている。なお、このクライアントＰＣ２４は、画像データを視認可能に表示する表示手段及び情報を入力する入力手段を備える。
【００４３】
一方、ファクシミリ装置２２は、ＭＦＰ１００に対して、画像データ及び送受信情報を含むデータ（以下、これらを合わせて「ファクシミリデータ」という。）を送信する。具体的には、送信元を示す送信元情報として、画像データの送信に先立って、ファクシミリ通信手順内のＴＳＩ（送信端末識別）信号により自装置２２のファクシミリ番号、送信枚数等を送信した後、画像データを送信する。ファクシミリ装置２２が送信する送信枚数は、ファクシミリ装置２２から送信されるファクシミリデータを受信するＭＦＰ１００にとっては受信枚数となる。よって、ファクシミリ装置２２から送信枚数情報を受信したとき、ＭＦＰ１００はこれを受信枚数情報として受信する。
【００４４】
ＭＦＰ１００の主要部の機能構成図を図３に示すように、ＭＦＰ１００の制御部１は、機能的に、受信部（画像データ受付手段）１ａ、抽出部１ｂ、設定決定部１ｃ、及び記録実行部（記録手段）１ｄを備えている。また、ＭＦＰ１００のＲＡＭ３は、複数頁印字モード設定頁数Ｎを格納している。ここでは、制御部１が、ＲＯＭ２に予め格納されている制御プログラムを読み出して実行することにより、受信部１ａ、抽出部１ｂ、設定決定部１ｃ、及び記録実行部１ｄを含む機能部として機能する。
【００４５】
受信部１ａは、画像データ、及び受信枚数等を示す送信元情報を含む該画像データに関するデータを受信する。具体的には、受信部１ａは、ファクシミリ装置２２からファクシミリデータを受信する場合、ファクシミリの通信手順内のＴＳＩ信号により、ファクシミリ装置２２のファクシミリ番号、受信枚数等を受信した後、画像データを受信する。なお、ファクシミリ通信に関してはＩＴＵにより標準機能が定められており、受信部１ａは、画像データを受信する前に必ず受信枚数情報を受信する。受信部１ａは、受信した画像データを画像メモリ５に格納する。
【００４６】
抽出部１ｂは、受信部１ａにて受信されたデータから受信枚数情報を抽出する。具体的には、受信部１ａがファクシミリ装置２２から画像データを受信する前に受信したデータの中から抽出する。受信枚数情報は、送信された画像データに係る画像の総頁数に係る情報である。詳しくは、受信枚数情報は、ファクシミリ装置２２が、送信先であるＭＦＰ１００にて、送信された画像データに係る画像が用紙に記録される際に通常必要とされる用紙の枚数に係る情報である。例えば、ファクシミリ装置２２がＡ４サイズ片面２頁分の画像データを送信するとき、抽出部１ｂは受信枚数情報を「２」として抽出し、ファクシミリ装置２２がＡ４サイズ両面２頁分の画像データを送信するとき、抽出部１ｂは受信枚数情報を「４」として抽出する。
【００４７】
設定決定部１ｃは、受信した画像データに基づく画像を複数頁印字モードにて用紙に記録するか否か、また複数頁印字モードにて記録する場合、どのような印字モードにて記録するかを決定する。設定決定部１ｃは、これらを、抽出部１ｂが抽出した受信枚数情報、及びＲＡＭ３に格納されている複数頁印字モード設定頁数Ｎに基づいて決定する。具体的には、抽出部１ｂが抽出した受信枚数情報に係る受信枚数（以下、単に「抽出部１ｂが抽出した受信枚数」という。）が、ＲＡＭ３に格納されている複数頁印字モード設定頁数Ｎを超えているか否かに基づいて決定する。例えば、ＲＡＭ３に複数頁印字モード設定頁数Ｎとして２ｉｎ１モード設定頁数ＮＳ２のみが格納されている場合、抽出部１ｂが抽出した受信枚数が２ｉｎ１モード設定頁数ＮＳ２を超えているとき、受信した画像データに基づく画像を２ｉｎ１モードにて用紙に記録することを決定する。一方、抽出部１ｂが抽出した受信枚数が２ｉｎ１モード設定頁数ＮＳ２を超えていないとき、受信した画像データに基づく画像を通常モードにて用紙に記録することを決定する。
【００４８】
記録実行部１ｄは、受信部１ａにて受信された画像データに基づく画像を用紙に記録する。具体的には、記録実行部１ｄは、用紙供給部６から用紙を記録部８に供給し、受信部１ａにより受信されて画像メモリ５に蓄積された画像データをコーデック４により復号し、復号された画像データに基づく画像を記録部８により前記用紙に記録する。受信した画像データに基づく画像をＮｉｎ１モードにて用紙に記録することを設定決定部１ｃが決定した場合、復号された画像データに基づく画像をＮ頁分集約して記録部８により用紙に記録する。また、受信した画像データに基づく画像を両面モードにて用紙に記録することを設定決定部１ｃが決定した場合、復号された画像データに基づく画像の奇数頁分を記録部８により用紙の表面に記録する。その後、当該用紙を用紙再送部７により記録部８に再供給し、復号された画像データに基づく画像の偶数頁分を記録部８により用紙の裏面に記録する。
【００４９】
複数頁印字モード設定頁数Ｎは、受信した画像データに基づく画像が複数頁印字モードにて用紙に記録されるか否かの設定を決定するためのものである。複数頁印字モード設定頁数Ｎは、各複数頁印字モードにそれぞれ対応するように設定されており、例えば、片面Ｎｉｎ１モードのうち２ｉｎ１モード、４ｉｎ１モードにそれぞれ対応するＮＳ２、ＮＳ４、両面モードに対応するＮＷ、両面Ｎｉｎ１モードのうち両面２ｉｎ１モード、両面４ｉｎ１モードにそれぞれ対応するＮＷ２、ＮＷ４が設定されている。複数頁印字モード設定頁数Ｎは、操作部９やクライアントＰＣ２４からの入力に基づいて、その設定をユーザが変更することができる。
【００５０】
以下、ファクシミリ装置２２からファクシミリデータを受信した際に、ＭＦＰ１００において行われる処理動作について、図４に示すフローチャートに基づいて説明する。ここでは、複数頁印字モード設定頁数Ｎとして、２ｉｎ１モード設定頁数ＮＳ２のみが設定されている場合について説明する。なお、このＭＦＰ１００の各部における処理動作は、制御部１の各部の制御命令に従って行われるものである。
【００５１】
まず、受信部１ａがファクシミリデータを受信したか否かを判断する（Ｓ１）。具体的には、ＮＣＵ１２を介してファクシミリ装置２２からファクシミリデータを受信したか否かを判断する。ここで、ファクシミリデータを受信していないと判断した場合（Ｓ１：ＮＯ）、待機状態となる。逆に、ファクシミリ装置２２からファクシミリデータを受信したと判断した場合（Ｓ１：ＹＥＳ）、抽出部１ｂは、受信部１ａにて受信したファクシミリデータから受信枚数を抽出する（Ｓ２）。受信したファクシミリデータに係る画像データは、順次画像メモリ５に格納される。
【００５２】
次に、設定決定部１ｃは、抽出部１ｂが抽出した受信枚数が、ＲＡＭ３に格納されている２ｉｎ１モード設定頁数ＮＳ２を超えているか否かを判断する（Ｓ３）。ここで、抽出した受信枚数が２ｉｎ１モード設定頁数ＮＳ２を超えていると判断した場合（Ｓ３：ＹＥＳ）、記録実行部１ｄは、用紙供給部６から用紙を記録部８に供給させ、画像メモリ５から画像データを順次読み出し、２頁分を１頁に集約し記録させて出力する（Ｓ４）。一方、抽出した受信枚数が２ｉｎ１モード設定頁数ＮＳ２を超えていないと判断した場合（Ｓ３：ＮＯ）、記録実行部１ｄは、用紙供給部６から用紙を記録部８に供給させ、画像メモリ５から画像データを順次読み出し、通常モードにて記録させて出力する（Ｓ５）。
【００５３】
以上説明したように、このＭＦＰ１００によれば、受信部１ａが受け付けたファクシミリデータに係る画像の受信枚数が設定されている複数頁印字モード設定頁数Ｎを超えた場合、設定された複数頁印字モードにて記録が強制的に行われる。ここでは、受信枚数がＮ２ｉｎ１モード設定頁数ＮＳ２を超えた場合、２ｉｎ１モードにて記録が強制的に行われる。そのため、確実に用紙を節約することが可能となる。なお、複数頁印字モード設定頁数Ｎは、各ユーザの好み、送信元の宛先、解像度等に応じて適宜設定することができる。
【００５４】
次に、複数頁印字モード設定頁数Ｎとして、２ｉｎ１モード設定頁数ＮＳ２、及び該Ｎ１より大きな両面２ｉｎ１モード設定頁数ＮＷ２の２つが設定されている場合に、ファクシミリ装置２２からファクシミリデータを受信した際に、ＭＦＰ１００において行われる処理動作について、図５に示すフローチャートに基づいて説明する。なお、このＭＦＰ１００の各部における処理動作は、制御部１の各部の制御命令に従って行われるものである。
【００５５】
まず、受信部１ａがファクシミリデータを受信したか否かを判断する（Ｓ１１）。データを受信していないと判断した場合（Ｓ１１：ＮＯ）、待機状態となる。逆に、ファクシミリ装置２２からファクシミリデータを受信したと判断した場合（Ｓ１１：ＹＥＳ）、抽出部１ｂは、受信部１ａにて受信したファクシミリデータから受信枚数を抽出する（Ｓ１２）。
【００５６】
次に、設定決定部１ｃは、抽出部１ｂが抽出した受信枚数が、ＲＡＭ３に格納されている２ｉｎ１モード設定頁数ＮＳ２を超えているか否かを判断する（Ｓ１３）。ここで、抽出した受信枚数が２ｉｎ１モード設定頁数ＮＳ２を超えていないと判断した場合（Ｓ１３：ＮＯ）、記録実行部１ｄは、用紙供給部６から用紙を記録部８に供給させ、画像メモリ５から画像データを順次読み出し、通常モードにて記録させて出力する（Ｓ１４）。
【００５７】
一方、抽出した受信枚数が２ｉｎ１モード設定頁数ＮＳ２を超えていないと判断した場合（Ｓ１３：ＹＥＳ）、さらに、設定決定部１ｃは、抽出部１ｂが抽出した受信枚数が、ＲＡＭ３に格納されている両面２ｉｎ１モード設定頁数ＮＷ２を超えているか否かを判断する（Ｓ１５）。ここで、抽出した受信枚数が両面２ｉｎ１モード設定頁数ＮＷ２を超えていないと判断した場合（Ｓ１５：ＮＯ）、記録実行部１ｄは、用紙供給部６から用紙を記録部８に供給させ、画像メモリ５から画像データを順次読み出し、２頁分を１頁に集約し記録させて出力する（Ｓ１６）。一方、抽出した頁数情報が設定頁数Ｎ２を超えていると判断した場合（Ｓ１５：ＹＥＳ）、記録実行部１ｄは、用紙供給部６から用紙を記録部８に供給させ、画像メモリ５から画像データを順次読み出し、２頁分を１頁に集約し用紙の記録させた後、当該用紙を用紙再送部７により記録部８に再供給し、画像メモリ５からさらに画像データを順次読み出し、２頁分を１頁に集約し用紙の裏面に記録する（Ｓ１７）。
【００５８】
以上説明したように、このＭＦＰ１００によれば、複数頁印字モード設定頁数Ｎが複数存在し、各設定された複数頁印字モード設定頁数Ｎを超えた場合に応じて、異なる複数画像記録が行われる。ここでは、受信枚数が２ｉｎ１モード設定頁数ＮＷ２を超えた場合、両面２ｉｎ１モードにて記録が強制的に行われ、受信枚数が２ｉｎ１モード設定頁数ＮＷ２以下であって２ｉｎ１モード設定頁数ＮＳ２を超えた場合、片面２ｉｎ１モードにて記録が強制的に行われる。そのため、各ユーザの好み等に応じて、適切な種類の複数画像記録を行うことが可能となる。
【００５９】
以下、本発明の第２の実施の形態に係る画像形成装置を装備するＭＦＰ１００Ａについて、図面に基づき説明する。このＭＦＰ１００Ａは、図６にその主要構成図を示すように、前記ＭＦＰ１００と比較すると、制御部１Ａが、制御部１とは異なり、選択受付部（選択受付手段）１ｅを備えたものである。選択受付部１ｅは、制御部１がＲＯＭ２に予め格納されている制御プログラムを読み出して実行することにより、受信部１ａ、抽出部１ｂ、設定決定部１ｃ、及び記録実行部１ｄとともに機能部として機能する。
【００６０】
選択受付部１ｅは、受信した画像データに基づく画像を用紙に複数頁印刷モードにて記録するか否か、及びその種類の選択を受け付ける。具体的には、選択受付部１ｅは、操作部９又はクライアントＰＣ２４を介して入力された情報により選択を受け付ける。そして、設定決定部１ｃは、抽出部１ｂが抽出した受信枚数、ＲＡＭ３に格納されている複数頁印字モード設定頁数Ｎ、及び選択受付部１ｅが受け付けた選択に基づき、用紙に記録する印字モードを決定する。さらに、選択受付部１ｅが受け付けた選択に基づき、画像メモリ５に格納された画像データを消去するか否かを決定する。
【００６１】
以下、ファクシミリ装置２２からファクシミリデータを受信した際に、ＭＦＰ１００Ａにおいて行われる処理動作について、図７に示すフローチャートに基づいて説明する。なお、このＭＦＰ１００Ａの各部における処理動作は、制御部１の各部の制御命令に従って行われるものである。
【００６２】
まず、受信部１ａがファクシミリデータを受信したか否かを判断する（Ｓ３１）。具体的には、ＮＣＵ１２を介してファクシミリ装置２２からファクシミリデータを受信したか否かを判断する。ここで、ファクシミリデータを受信していないと判断した場合（Ｓ３１：ＮＯ）、待機状態となる。逆に、ファクシミリ装置２２からファクシミリデータを受信したと判断した場合（Ｓ３１：ＹＥＳ）、抽出部１ｂは、受信部１ａにて受信したファクシミリデータから受信枚数を抽出する（Ｓ３２）。受信したファクシミリデータに係る画像データは、順次画像メモリ５に格納される。
【００６３】
次に、設定決定部１ｃは、抽出部１ｂが抽出した受信枚数が、ＲＡＭ３に格納されている２ｉｎ１モード設定頁数ＮＳ２を超えているか否かを判断する（Ｓ３３）。ここで、抽出した受信枚数が２ｉｎ１モード設定頁数ＮＳ２を超えていないと判断した場合（Ｓ３３：ＮＯ）、記録実行部１ｄは、用紙供給部６から用紙を記録部８に供給させ、画像メモリ５から画像データを順次読み出し、通常モードにて記録させて出力する（Ｓ３４）。そしして、画像メモリ５に格納されていた画像データは消去される（Ｓ３５）。
【００６４】
一方、抽出した送信頁数が２ｉｎ１モード設定頁数ＮＳ２を超えていると判断した場合（Ｓ３３：ＹＥＳ）、表示部１０に２ｉｎ１モード設定頁数ＮＳ２を超える受信枚数のファクシミリ受信があった旨の表示を行う（Ｓ３６）。例えば、設定枚数Ｎが２の場合、表示部１０のＬＣＤに「２ページを超えるファクスを受信しました」等の表示を行う。また、ランプ、警報音等にて、その旨を報知してもよい。さらに、受信したファクシミリデータに基づくイメージ画像、受信枚数、送信先、受信時刻等を、表示部１０のＬＣＤに合わせて表示し、ユーザにファクシミリ受信に係る情報を提示して、ユーザがその重要度を判断することを容易にしてもよい。そして、選択受付部１ｅから受信したファクシミリデータに基づく画像を２ｉｎ１モードにて記録するか否かの選択を受け付ける。例えば、表示部１０のＬＣＤに「２ｉｎ１モードにて印字する場合には「１」を、通常モードにて印字する場合には「２」を選択して下さい」と表示し、操作部９のテンキーから「１」又は「２」が入力されるまで待機する。
【００６５】
次に、設定決定部１ｃは、選択受付部１ｅが２ｉｎ１モードにて記録する選択を受け付けたか否かを判断する（Ｓ３７）。選択受付部１ｅが２ｉｎ１モードにて記録する選択を受け付けなかったと判断した場合、すなわち上記例示のとき操作部９から「２」が入力された場合（Ｓ３７：ＮＯ）、記録実行部１ｄは、用紙供給部６から用紙を記録部８に供給させ、画像メモリ５から画像データを順次読み出し、通常モードにて記録させて出力する（Ｓ３４）し、画像メモリ５に格納されていた画像データは消去される（Ｓ３５）。
【００６６】
一方、選択受付部１ｅが２ｉｎ１モードにて記録する選択を受け付けたと判断した場合、すなわち上記例えのとき操作部９から「１」が入力された場合（Ｓ３７：ＹＥＳ）、記録実行部１ｄは、用紙供給部６から用紙を記録部８に供給させ、記録部８に受信したファクシミリデータに係る画像を２ｉｎ１モードにて記録させて出力する（Ｓ３８）。そして、２ｉｎ１モードにて記録した画像を通常モードにて記録するか否かの選択を受け付ける。例えば、表示部１０のＬＣＤに「明瞭に印字されていましたか？明瞭に印字されていた場合には「１」を、明瞭に印字されていなかったので、通常モードにて再度印字する場合には「２」を選択して下さい」と表示し、操作部９のテンキーから「１」又は「２」が入力されるまで待機する。
【００６７】
そして、設定決定部１ｃは、選択受付部１ｅが２ｉｎ１モードにて記録した画像を通常モードにて記録するか否かの選択を受け付けたか否かを判断する（Ｓ３９）。選択受付部１ｅが通常モードにて記録しない選択を受け付けたと判断した場合、すなわち上記例えのとき操作部９から「１」が入力された場合（Ｓ３９：ＹＥＳ）、記録実行部１ｄは画像メモリ５に格納されている画像データを消去する（Ｓ３５）。一方、選択受付部１ｅが通常モードにて記録する選択を受け付けたと判断した場合、すなわち上記例えのとき操作部９から「２」が入力された場合（Ｓ３９：ＮＯ）、記録実行部１ｄは、用紙供給部６から用紙を記録部８に供給させ、画像メモリ５から画像データを順次読み出し、通常モードにて記録させて出力し（Ｓ３４）、その後、画像メモリ５から画像データを消去する（Ｓ３５）。
【００６８】
以上説明したように、このＭＦＰ１００Ａによれば、受信部１ａが受け付けたファクシミリデータに係る画像の受信枚数が設定されている複数頁印字モード設定頁数Ｎを超えた場合、操作部９から複数頁印字モードにて記録を行わせるか否かの選択を受け付ける。そのため、受信枚数が複数頁印字モード設定頁数Ｎを超えた場合、ユーザが複数頁印字モードにて記録するか否かを選択するので、ユーザに用紙の節約を促すことが可能となる。
【００６９】
さらに、本発明に係る画像形成装置によれば、受信部１ａが受け付けたファクシミリデータに係る情報が表示部１０に表示される。そのため、表示部１０に表示された情報から複数頁印字モードにて記録を行うか否かを、ユーザが判断することを容易化する。さらに、複数頁印字モードにて記録が行われた場合、画像データが画像メモリ５に保存されているので、画像メモリ５から画像データを再度読み出すことにより、通常モードにて記録することも可能である。そのため、複数頁印字モードにて記録が行われた画像が重要な書面、詳細な図面等であった場合、通常モードにて記録を行うことができる。
【００７０】
なお、本実施の形態で示したＭＦＰ１００，１００Ａの構成は、本発明に係る画像形成端末装置の一態様にすぎず、本発明の要旨を逸脱しない範囲内で種々の変形実施が可能である。例えば、コピーを行う場合、クライアントＰＣ２４から受け付けたデータに基づく画像を記録する場合等における複数頁印字モード設定頁数Ｎを設定するものであってもよい。そして、この場合、複数頁印字モード設定頁数Ｎを超える頁数の画像を記録する際、表示部１０またはクライアントＰＣ２４にその旨を表示し、複数頁印字モードにて記録を行うか否かの選択を操作部９またはクライアントＰＣ２４への入力により受け付けるものであってもよい。この場合も、ユーザに用紙の節約を促すことができる。
【００７１】
また、ＭＦＰ１００Ａにおいて、Ｎｉｎ１モードにて画像を記録した場合、画像データを画像メモリ５以外のＭＦＰ１００Ａの内部または外部のデータ蓄積部に格納してもよい。そして、２ｉｎ１モードにて画像を記録した後に、このデータ蓄積部から画像データを取り出し再度画像を記録できるようにしてもよい。さらに、ＭＦＰ１００にこのようなデータ蓄積部を設けてもよい。
【００７２】
さらに、実施の形態では、画像形成装置をＭＦＰ１００，１００Ａとして実施した態様を説明したが、画像形成装置はＭＦＰ１００，１００Ａに限定されず、複写機、ファクシミリ機、及びこれらを含む複合機に適用可能である。
【図面の簡単な説明】
【００７３】
【図１】本発明の第１の実施の形態に係るＭＦＰ１００の構成例を示したブロック図である。
【図２】ＭＦＰ１００について説明するための概略断面図である。
【図３】ＭＦＰ１００の主要部を示す機能構成図である。
【図４】ファクシミリデータを受信した場合に、ＭＦＰ１００において行われる処理動作を示すフローチャートである。
【図５】ファクシミリデータを受信した場合に、ＭＦＰ１００において行われる別の処理動作を示すフローチャートである。
【図６】本発明の第２の実施の形態に係るＭＦＰ１００Ａの主要部を示す機能構成図である。
【図７】ファクシミリデータを受信した場合に、ＭＦＰ１００Ａにおいて行われる処理動作を示すフローチャートである。
【符号の説明】
【００７４】
１，１Ａ  制御部（制御手段）
１ａ  受信部（画像データ受付手段）
１ｂ  抽出部
１ｃ  設定決定部
１ｄ  記録実行部（記録手段）
１ｅ  設定受付部（設定受付手段）
２  ＲＯＭ
３  ＲＡＭ
５  画像メモリ（蓄積手段）
６  用紙供給部
７  用紙再送部
８  記録部（記録手段）
９  操作部（設定受付手段）
１０  表示部（表示手段）
１００，１００Ａ  ＭＦＰ（画像形成装置）
Ｎ  複数頁印字設定枚数
【図１】
2009246856.tif 000003
【図２】
2009246856.tif 000004
【図３】
2009246856.tif 000005
【図４】
2009246856.tif 000006
【図５】
2009246856.tif 000007
【図６】
2009246856.tif 000008
【図７】
2009246856.tif 000009